(57)【要約】【課題】全ての照明装置の仕様に応じたソフトウェアを搭載することなく、仕様の異なる各々の照明装置と通信することができる無線通信装置等を提供する。【解決手段】無線通信装置１２０は、１以上の照明装置１０を制御するための制御装置１３０と通信可能に接続される第１端子部１２２と、各々の照明装置１０と無線通信可能に接続される無線通信部１２３と、当該無線通信装置１２０と制御装置１３０との間で規定される第１通信プロトコルに基づく第１信号を制御装置１３０から受信したとき、第１信号を第１通信プロトコルと共通性のある第２通信プロトコルに基づく第２信号に変換する第１制御部１２１とを備える。【選択図】図２
2020107560.tif 000002
【特許請求の範囲】
【請求項１】
１以上の負荷装置を制御するための制御装置に接続される無線通信装置であって、
前記制御装置と通信可能に接続される第１端子部と、
前記制御装置と当該無線通信装置との間で規定される第１通信プロトコルに基づく第１信号を前記制御装置から受信したとき、前記第１信号を前記第１通信プロトコルと共通性のある第２通信プロトコルに基づく第２信号に変換する第１制御部と、
前記変換された前記第２信号を出力する無線通信部とを備える
無線通信装置。
【請求項２】
前記第１信号は、前記負荷装置と当該無線通信装置との間で用いられる通信プロパティを含む
請求項１に記載の無線通信装置。
【請求項３】
前記第２信号は、前記負荷装置の制御内容を含み、
前記無線通信装置は、前記第２信号と、前記第２信号に含まれる前記制御内容を実行する実行信号を前記負荷装置に対して送信する
請求項１または２に記載の無線通信装置。
【請求項４】
前記無線通信部は、前記第２通信プロトコルに基づいて、前記負荷装置を制御するための操作端末と通信する
請求項１〜３のいずれか１項に記載の無線通信装置。
【請求項５】
前記制御装置は、前記負荷装置を制御するための上位システムと接続され、
前記無線通信装置は、前記第１端子部を介して、前記上位システムと同期するための同期信号を受信する
請求項１〜４のいずれか１項に記載の無線通信装置。
【請求項６】
前記制御装置は、前記上位システムとの間で規定される第３通信プロトコルに基づく第３信号を、前記第１通信プロトコルに基づく第１信号に変換する
請求項５に記載の無線通信装置。
【請求項７】
１以上の負荷装置を制御するための制御装置に接続される無線通信装置であって、
前記制御装置と通信可能に接続される第１端子部と、
前記制御装置と当該無線通信装置との間で規定される第１通信プロトコルと共通性のある第２通信プロトコルに基づく第２信号を受信する無線通信部と、
前記第２信号を前記負荷装置から受信したとき、前記第２信号を前記第１通信プロトコルに基づく第１信号に変換する第１制御部とを備える
無線通信装置。
【請求項８】
前記負荷装置に確認する第１確認信号を前記制御装置から受信したとき、前記無線通信部は、前記第２通信プロトコルに基づいて、前記第１確認信号から変換された第２確認信号を、前記負荷装置に対して送信し、
前記第２確認信号に対する応答である第２応答信号を前記負荷装置から受信したとき、前記無線通信部は、前記第２通信プロトコルに基づいて、前記第２応答信号から変換された第１応答信号を、前記制御装置に対して送信する
請求項７に記載の無線通信装置。
【請求項９】
１以上の負荷装置に接続された通信部と通信するための無線通信装置に接続される第２端子部と、
前記無線通信装置と当該制御装置との間で規定される第１通信プロトコルに基づく第１信号と共通性のある第２通信プロトコルに基づいて生成した第２信号を、前記第２端子部を介して出力する第２制御部とを備え、
前記第２端子部は、前記無線通信装置と有線通信によって接続される
制御装置。
【請求項１０】
請求項１〜８のいずれか１項に記載の無線通信装置と、請求項９に記載の制御装置とを備える
無線通信端末。
【請求項１１】
請求項１〜８のいずれか１項に記載の無線通信装置と、請求項９に記載の制御装置と、前記無線通信装置と通信する通信部を含む照明設備とを備える
無線通信システム。
【請求項１２】
１以上の負荷装置を制御するための制御装置に接続する無線通信方法であって、
前記制御装置に接続する無線通信装置と前記制御装置との間で規定される第１通信プロトコルに基づく第１信号を前記制御装置から受信したとき、前記第１信号を前記第１通信プロトコルと共通性のある第２通信プロトコルに基づく第２信号に変換し、前記変換された前記第２信号を出力することを含む
無線通信方法。
【請求項１３】
請求項１２に記載の無線通信方法をコンピュータに実行させる
プログラム。
【発明の詳細な説明】
【技術分野】
【０００１】
本開示は、無線通信装置、制御装置、無線通信端末、無線通信システム、無線通信方法およびプログラムに関する。
【背景技術】
【０００２】
従来の無線通信装置として特許文献１には、照明器具を調光制御するための制御情報を送信する第一通信部を有するシステム制御装置と、制御情報を受信し、制御情報に従って照明器具を調光制御する照明制御装置とを備える照明システムが開示されている。
【先行技術文献】
【特許文献】
【０００３】
【特許文献１】特開２０１６−１４９２１５号公報
【発明の概要】
【発明が解決しようとする課題】
【０００４】
従来の無線通信装置において、照明制御装置が照明器具と制御のために通信する場合、照明制御装置は、照明器具の仕様に応じた制御コマンドを送信する必要がある。このため、照明制御装置が複数の照明器具を制御する場合に、各々の照明器具の仕様に応じたソフトウェアを照明制御装置に搭載することとなる。これでは、全ての照明器具の仕様に応じたソフトウェアを照明制御装置に搭載する必要があり、照明制御装置の製造コストが高騰化してしまい、現実的ではない。
【０００５】
そこで、全ての照明装置の仕様に応じたソフトウェアを搭載することなく、仕様の異なる各々の照明装置と通信することができる無線通信装置等を提供することを目的とする。
【課題を解決するための手段】
【０００６】
上記目的を達成するために、本開示に係る無線通信装置の一態様は、１以上の負荷装置を制御するための制御装置に接続される無線通信装置であって、前記制御装置と通信可能に接続される第１端子部と、前記制御装置と当該無線通信装置との間で規定される第１通信プロトコルに基づく第１信号を前記制御装置から受信したとき、前記第１信号を前記第１通信プロトコルと共通性のある第２通信プロトコルに基づく第２信号に変換する第１制御部と、前記変換された前記第２信号を出力する無線通信部とを備える。
【０００７】
上記目的を達成するために、本開示に係る無線通信装置の一態様は、１以上の負荷装置を制御するための制御装置に接続される無線通信装置であって、前記制御装置と通信可能に接続される第１端子部と、前記制御装置と当該無線通信装置との間で規定される第１通信プロトコルと共通性のある第２通信プロトコルに基づく第２信号を受信する無線通信部と、前記第２信号を前記負荷装置から受信したとき、前記第２信号を前記第１通信プロトコルに基づく第１信号に変換する第１制御部とを備える。
【０００８】
上記目的を達成するために、本開示に係る制御装置の一態様は、１以上の負荷装置に接続された通信部と通信するための無線通信装置に接続される第２端子部と、前記無線通信装置と当該制御装置との間で規定される第１通信プロトコルに基づく第１信号と共通性のある第２通信プロトコルに基づいて生成した第２信号を、前記第２端子部を介して出力する第２制御部とを備え、前記第２端子部は、前記無線通信装置と有線通信によって接続される。
【０００９】
上記目的を達成するために、本開示に係る無線通信端末の一態様は、無線通信装置と、制御装置とを備える。
【００１０】
上記目的を達成するために、本開示に係る無線通信システムの一態様は、無線通信装置と、制御装置と、前記無線通信装置と通信する通信部を含む照明設備とを備える。
【００１１】
上記目的を達成するために、本開示に係る無線通信方法の一態様は、１以上の負荷装置を制御するための制御装置に接続する無線通信方法であって、前記制御装置に接続する無線通信装置と前記制御装置との間で規定される第１通信プロトコルに基づく第１信号を前記制御装置から受信したとき、前記第１信号を前記第１通信プロトコルと共通性のある第２通信プロトコルに基づく第２信号に変換し、前記変換された前記第２信号を出力することを含む。
【００１２】
上記目的を達成するために、本開示に係るプログラムの一態様は、無線通信方法をコンピュータに実行させる。
【発明の効果】
【００１３】
本開示に係る無線通信装置等は、全ての照明装置の仕様に応じたソフトウェアを搭載することなく、仕様の異なる各々の照明装置と通信することができる。
【図面の簡単な説明】
【００１４】
【図１】図１は、実施の形態１に係る無線通信システムを例示するブロック図である。
【図２】図２は、実施の形態１に係る無線通信システムの動作を例示するシーケンス図である。
【図３】図３は、実施の形態１に係る無線通信システムの動作を例示するシーケンス図である。
【図４】図４は、実施の形態２に係る無線通信システムの動作を例示するシーケンス図である。
【発明を実施するための形態】
【００１５】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置および接続形態、ステップ、ステップの順序等は、一例であり、本開示を限定する趣旨ではない。よって、以下の実施の形態における構成要素のうち、本開示の最上位概念を示す独立請求項に記載されていない構成要素については、任意の構成要素として説明される。
【００１６】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略または簡略化する。
【００１７】
まず、本実施の形態に係る無線通信装置、制御装置、無線通信端末、無線通信システム、無線通信方法およびプログラムについて説明する。
【００１８】
（実施の形態１）
［構成］
図１は、実施の形態１に係る無線通信システム１を例示するブロック図である。なお、図１には、無線通信システム１の他に、上位システム４０および操作端末５０が図示される。
【００１９】
図１に示すように、無線通信システム１は、複数の照明装置１０と、無線通信端末２０とを備える。
【００２０】
複数の照明装置１０のそれぞれは、周囲を照明することが可能な装置である。各々の照明装置１０は、それぞれ仕様の異なる照明装置１０であってもよく、同一の照明装置１０であってもよい。なお、複数の照明装置１０は、複数のグループに分類されてもよい。照明装置１０は、負荷装置の一例である。
【００２１】
各々の照明装置１０は、発光モジュール１０１と、照明制御部１０２と、電源部１０３と、第１通信部１０４とを有する。本実施の形態の照明装置１０は、照明設備の一例である。
【００２２】
発光モジュール１０１は、照明装置１０が周囲を照明するための光を出射する。発光モジュール１０１は、例えば光を放射状に発するＬＥＤ（Ｌｉｇｈｔ  Ｅｍｉｔｔｉｎｇ  Ｄｉｏｄｅ）を有するモジュールである。
【００２３】
照明制御部１０２は、発光モジュール１０１の点灯および消灯を制御する。照明制御部１０２は、無線通信装置１２０から取得した第２信号に応じて、発光モジュール１０１の点灯および消灯を制御する。例えば、照明制御部１０２は、無線通信装置１２０から第２信号を取得すると、発光モジュール１０１を点灯または消灯させる指示を電源部１０３に出力する。
【００２４】
また、照明制御部１０２は、調光回路および調色回路によって、発光モジュール１０１の光出力を制御することで、調光率を変化させたり、調色率を変化させたりすることもできる。照明制御部１０２は、無線通信装置１２０から取得した第２信号に基づいて、発光モジュール１０１の発する光の明るさを制御する。例えば、照明制御部１０２は、第２信号が示す調光率および調色率に応じて、発光モジュール１０１を点灯させるように電源部１０３を制御する。これにより、照明制御部１０２は、発光モジュール１０１が発する光量を多くしたり、少なくしたりする。また、照明制御部１０２は、発光モジュール１０１が発する色温度を高くしたり、小さくしたりする。
【００２５】
電源部１０３は、発光モジュール１０１に電力を供給する電源回路が内蔵されたモジュールである。電源部１０３に内蔵された電源回路は、電源部１０３に接続された配線から供給された交流電流を直流電流に変換し、変換した直流電流を、リード線を介して発光モジュール１０１の光源に供給する。
【００２６】
第１通信部１０４は、無線通信装置１２０と無線通信することが可能な通信モジュールである。第１通信部１０４は、無線通信装置１２０から第２信号を受信する。
【００２７】
無線通信端末２０は、無線通信装置１２０と、制御装置１３０とを備える。
【００２８】
無線通信装置１２０は、それぞれが仕様の異なる複数の照明装置１０と通信することが可能であり、各々の照明装置１０を制御するための第２信号を送信する。また、無線通信装置１２０は、各々の照明装置を制御するための操作端末５０と通信可能である。例えば、操作端末５０は、タブレット端末、壁スイッチ等である。
【００２９】
無線通信装置１２０は、第１制御部１２１と、第１端子部１２２と、無線通信部１２３とを有する。
【００３０】
第１制御部１２１は、第１通信プロトコルに基づく第１信号を制御装置１３０から受信したとき、第１通信プロトコルと共通性のある第２通信プロトコルに基づく第２信号に変換する情報処理部を有する。ここで、第１信号および第２信号は、照明装置１０と無線通信装置１２０との間で用いられる通信プロパティを含む。また第１信号および第２信号は、照明装置１０を制御するための制御コマンドを含む信号である。また、第１制御部１２１は、第１実行信号および第１同期信号も制御装置１３０から受信する。第１制御部１２１は、上述と同様に、第１通信プロトコルに基づく第１実行信号および第１同期信号を、第２通信プロトコルに基づく第２実行信号および第２同期信号に変換する。第１同期信号は同期信号の一例である。制御コマンドは、第２信号に含まれる制御内容の一例であり、各々の照明装置１０の点灯シーンを示す。なお、「○○したとき」は、その時点に限られるのではなく、物事の状況、事情を意味する「○○した場合」と同義である。
【００３１】
なお、第２信号には、複数の照明装置１０の制御コマンドが含まれていてもよい。この場合、第２信号の制御コマンドには、複数の照明装置１０をそれぞれ識別する装置ＩＤと、それぞれの装置ＩＤに対応付けられた調光率および調色率の少なくとも一方を示す情報とが含まれていてもよい。各々の照明装置１０は、自機が保有する装置ＩＤに対応付けられた調光率および調色率に基づいて点灯してもよい。
【００３２】
例えば、第１制御部１２１は、受信した第１信号に含まれるヘッダ、フッタ等を、送信先の照明装置１０に応じたヘッダ、フッタ等に変換し、変換したヘッダ、フッタ等を第１信号に含まれる制御コマンドに付加して第２信号を生成する。つまり、第１制御部１２１は、送信先の照明装置１０に応じて、有線通信で受信した第１信号の通信メディアを変換し、無線通信するための第２信号を生成する。第１信号の制御コマンドは、そのまま用いられて第２信号が生成される。このため、第１信号と第２信号とは同一の制御コマンドを含むという点で少なくとも共通性がある。第１制御部１２１は、無線通信部１２３を介して、生成した第２信号を照明装置１０に送信する。また、第２実行信号および第２同期信号においても同様であり、第１制御部１２１は、無線通信部１２３を介して、生成した第２実行信号および第２同期信号を照明装置１０に送信する。
【００３３】
なお、第１制御部１２１は、各々の照明装置１０から、各々の照明装置１０の仕様を示す情報を取得してもよい。つまり、第１制御部１２１は、仕様を示す情報を各々の照明装置１０から取得することで、第１信号を各々の照明装置１０に応じた第２信号に変換してもよい。
【００３４】
第１端子部１２２は、照明装置１０を制御するための制御装置１３０と通信可能に接続される。第１端子部１２２は、制御装置１３０から送信された第１信号等を受信するインターフェイスである。第１端子部１２２は、有線通信ケーブルを介して制御装置１３０と接続される。また、第１端子部１２２は、第１制御部１２１と接続され、受信した第１信号等を第１制御部１２１に出力する。なお、第１端子部１２２は、第１端子部１２２が雄型または雌型のコネクタであり、第２端子部１３２が雌型または雄型のコネクタである場合に第１端子部１２２と第２端子部１３２とが直接的に接続されてもよく、無線通信装置１２０と制御装置１３０とを同一基板で形成した場合に第１端子部１２２と第２端子部１３２とを配線パターンで接続してもよい。また、第１端子部１２２と第２端子部１３２との接続は他の公知の手段を用いてもよく、本実施の形態に限定されない。
【００３５】
無線通信部１２３は、各々の照明装置１０と無線通信することが可能な通信モジュールである。無線通信部１２３は、第１制御部１２１と接続される。無線通信部１２３は、第２通信プロトコルに基づく第２信号等を各々の照明装置１０に対して送信する。
【００３６】
制御装置１３０は、照明装置１０を制御するためのコントローラである。制御装置１３０は、照明装置１０を制御するため上位システム４０と有線通信または無線通信可能に接続される。上位システム４０は、例えばホストコンピュータ、管理システムである。
【００３７】
制御装置１３０は、第２制御部１３１と、第２端子部１３２と、第２通信部１３３とを有する。
【００３８】
第２制御部１３１は、上位システム４０との間で規定される第３通信プロトコルに基づく第３信号を第１通信プロトコルに基づく第１信号に変換する情報処理部である。ここで、第３信号は、制御装置１３０と無線通信装置１２０との間で用いられる通信プロパティ、および、照明装置１０と無線通信装置１２０との間で用いられる通信プロパティを含む。第３信号は、照明装置１０を制御するための制御コマンドを含む信号である。また、第２制御部１３１は、第３実行信号および第３同期信号も上位システム４０から受信する。第２制御部１３１は、上述と同様に、第３通信プロトコルに基づく第３実行信号および第３同期信号を、第１通信プロトコルに基づく第１実行信号および第１同期信号に変換する。
【００３９】
例えば、第２制御部１３１は、受信した第３信号に含まれるヘッダ、フッタ等を、送信先の無線通信装置１２０に応じたヘッダ、フッタ等に変換し、変換したヘッダ、フッタ等を第３信号に含まれる制御コマンドに付加して第１信号を生成する。つまり、第２制御部１３１は、有線通信で受信した第１信号から送信先の照明装置１０に応じて通信メディアを変換し、無線通信するための第１信号を生成する。第３信号の制御コマンドは、そのまま用いられて第１信号が生成される。このため、第３信号と第１信号とは制御コマンドという点で少なくとも共通性がある。第２制御部１３１は、第２端子部１３２を介して、生成した第１信号を無線通信装置１２０に出力する。また、第１実行信号および第１同期信号においても同様であり、第２制御部１３１は、第２端子部１３２を介して、生成した第１実行信号および第１同期信号を無線通信装置１２０に送信する。
【００４０】
第２端子部１３２は、第３信号から変換された第１信号等を送信するインターフェイスである。第２端子部１３２は、無線通信装置１２０の第１端子部１２２と上述の有線通信ケーブルによって接続される。また、第２端子部１３２は、第２制御部１３１と接続され、第２制御部１３１が第３信号から変換した第１信号等を無線通信装置１２０に送信する。
【００４１】
第２通信部１３３は、上位システム４０と無線通信または有線通信することが可能な通信モジュールである。第２通信部１３３は、第２制御部１３１と接続される。第２通信部１３３は、第３通信プロトコルに基づく第３信号等を上位システム４０から受信し、受信した第３信号等を第２制御部１３１に出力する。
【００４２】
［動作］
次に、無線通信装置１２０、制御装置１３０、無線通信端末２０、無線通信システム１、無線通信方法およびプログラムの動作について説明する。
【００４３】
図２は、実施の形態１に係る無線通信システム１の動作を例示するシーケンス図である。
【００４４】
図２に示すように、まず、上位システム４０は、ユーザによる手動操作またはスケジュールされた自動操作により、第３通信プロトコルに基づく第３信号および第３同期信号を無線通信端末２０に送信する（Ｓ１１）。ステップＳ１１では、第３同期信号を第３信号と同時に送信するが、別々のタイミングで送信してもよい。
【００４５】
次に、無線通信端末２０に搭載される制御装置１３０の第２通信部１３３が第３信号および第３同期信号を受信する。制御装置１３０の第２制御部１３１は、第２通信部１３３を介して第３信号および第３同期信号を取得すると、第３信号および第３同期信号を第１通信プロトコルに基づく第１信号および第１同期信号に変換する（Ｓ２１）。つまり、第２制御部１３１は、制御装置１３０と無線通信装置１２０との間で規定された第１通信プロトコルによって通信できるように、無線通信で受信した第３信号および第３同期信号を、有線通信するための第１信号および第１同期信号に変換する。例えばこの変換では、第３信号および第３同期信号に含まれるヘッダ、フッタ等が変換され、第３信号に含まれる制御コマンドは、第１信号にそのまま受け継がれる。また、第３同期信号に含まれる同期時刻を示す情報についてもそのまま受け継がれる。
【００４６】
次に、制御装置１３０は、第１通信プロトコルに基づく第１信号および第１同期信号を無線通信装置１２０に送信する（Ｓ２２）。ステップＳ２２では、第１同期信号を第１信号と同時に送信するが、別々のタイミングで送信してもよい。
【００４７】
次に、無線通信端末２０に搭載される無線通信装置１２０の無線通信部１２３が第１信号および第１同期信号を受信する。無線通信装置１２０の第１制御部１２１は、無線通信部１２３を介して第１信号および第１同期信号を取得すると、第１信号および第１同期信号を第２通信プロトコルに基づく第２信号および第２同期信号に変換する（Ｓ３１）。つまり、第１制御部１２１は、無線通信装置１２０と複数の照明装置１０との間で規定された第２通信プロトコルによって通信できるように、有線通信で受信した第１信号および第１同期信号を、無線通信するための第２信号および第２同期信号に変換する。例えばこの変換では、第１信号および第１同期信号に含まれるヘッダ、フッタ等が変換され、第１信号に含まれる制御コマンドは、第２信号にそのまま受け継がれる。また、第２同期信号に含まれる同期時刻を示す情報についてもそのまま受け継がれる。
【００４８】
次に、無線通信装置１２０は、第２通信プロトコルに基づく第２信号および第２同期信号を各々の照明装置１０に送信する（Ｓ３２）。ステップＳ３２では、第２同期信号を第２信号と同時に送信するが、別々のタイミングで送信してもよい。
【００４９】
各々の照明装置１０の第１通信部１０４は、第２信号および第２同期信号を受信し、メモリ等の記憶部に格納する。各々の照明装置１０は、単に第２信号を取得するだけで、第２信号に含まれる制御コマンドを実行しない。また、各々の照明装置１０は、自身の時刻を示す情報を、取得した第２同期信号に示される時刻を示す情報に書き換える。
【００５０】
この無線通信システム１では、ステップＳ１１からＳ３２までの処理を、複数の照明装置１０のうちの一部の第１の照明装置で構成された第１グループに行う。また、同様に、ステップＳ１１からＳ３２までの処理を、複数の照明装置１０のうちの一部の第２の照明装置で構成された第２グループ（第１グループと異なるグループ）に行う。つまり、この無線通信システム１では、第１グループに対し第２信号および第２同期信号が送信された後に、第２グループに対し第２信号および第２同期信号を送信する。複数の照明装置１０は複数のグループに分けられているため、グループごとに第２信号および第２同期信号が送信される。この無線通信システム１では、送信すべき全てのグループに対して、第２信号および第２同期信号を送信すると、この処理を終了し、次に示す図３の処理を実行する。
【００５１】
図３は、実施の形態１に係る無線通信システム１の動作を例示するシーケンス図である。図３を用いて、取得した第２信号に含まれる制御コマンドを各々の照明装置１０に実行させる場合の、無線通信システム１の動作について説明する。
【００５２】
図３に示すように、まず、上位システム４０は、ユーザによる手動操作またはスケジュールされた自動操作により、第３通信プロトコルに基づく第３実行信号を無線通信端末２０に送信する（Ｓ１２）。
【００５３】
次に、無線通信端末２０に搭載される制御装置１３０の第２通信部１３３が第３実行信号を受信する。制御装置１３０の第２制御部１３１は、第２通信部１３３を介して第３実行信号を取得すると、第３実行信号を第１通信プロトコルに基づく第１実行信号に変換する（Ｓ２３）。つまり、第２制御部１３１は、制御装置１３０と無線通信装置１２０との間で規定された第１通信プロトコルによって通信できるように、無線通信で受信した第３実行信号を、有線通信するための第１実行信号に変換する。例えばこの変換では、第３実行信号に含まれるヘッダ、フッタ等が変換され、第３実行信号に含まれる制御コマンドは、第１実行信号にそのまま受け継がれる。
【００５４】
次に、制御装置１３０は、第１通信プロトコルに基づく第１実行信号を無線通信装置１２０に送信する（Ｓ２４）。
【００５５】
次に、無線通信装置１２０の無線通信部１２３が第１実行信号を受信する。無線通信装置１２０の第１制御部１２１は、無線通信部１２３を介して第１実行信号を取得すると、第１実行信号を第２通信プロトコルに基づく第２実行信号に変換する（Ｓ３３）。つまり、第１制御部１２１は、無線通信装置１２０と複数の照明装置１０との間で規定された第２通信プロトコルによって通信できるように、有線通信で受信した第１実行信号を、無線通信するための第２実行信号に変換する。例えばこの変換では、第１実行信号に含まれるヘッダ、フッタ等が変換され、第１実行信号に含まれる制御コマンドは、第２実行信号にそのまま受け継がれる。第２実行信号は実行信号の一例である。
【００５６】
次に、無線通信装置１２０は、第２通信プロトコルに基づく第２実行信号を全ての照明装置１０に送信する（Ｓ３４）。各々の照明装置１０の第１通信部１０４は、第２実行信号を受信する。各々の照明装置１０の照明制御部１０２は、第１通信部１０４を介して第２実行信号を取得する。ここで、各々の照明装置１０は、第２実行信号を取得しても、予め取得している第２信号を直ちに実行するとは限らない。例えば、第２信号には、発動時刻を示す情報を含めることで、各々の照明装置１０が発動時刻になれば、一斉に点灯してもよい。
【００５７】
次に、照明制御部１０２は、第２実行信号を取得すると、取得していた第２信号に含まれる制御コマンドを実行する（Ｓ４１）。つまり、照明制御部１０２は、制御コマンドに応じて、発光モジュール１０１が発する光を消灯させたり、発光モジュール１０１が発する光を点灯させたり、発光モジュール１０１が発する光を調光させたり、発光モジュール１０１が発する光を調色させたりする。
【００５８】
そして、無線通信システム１は、処理を終了する。
【００５９】
このように、この無線通信システム１では、各々の照明装置１０が第２信号を受信した後に第２実行信号を取得する。このため、各々の照明装置１０が発動時刻になれば、一斉に点灯するため、この無線通信システム１では、全ての照明装置１０の動作を同期させることができる。
【００６０】
［作用効果］
次に、本実施の形態における無線通信装置１２０、制御装置１３０、無線通信端末２０、無線通信システム１、無線通信方法およびプログラムの作用効果について説明する。
【００６１】
上述したように、本実施の形態に係る無線通信装置１２０は、１以上の照明装置１０を制御するための制御装置１３０に接続される無線通信装置１２０である。制御装置１３０と通信可能に接続される第１端子部１２２と、当該無線通信装置１２０と制御装置１３０との間で規定される第１通信プロトコルに基づく第１信号を制御装置１３０から受信したとき、第１信号を第１通信プロトコルと共通性のある第２通信プロトコルに基づく第２信号に変換する第１制御部１２１と、変換された第２信号を出力する無線通信部１２３とを備える。
【００６２】
これによれば、第１制御部１２１は、第１信号を第１通信プロトコルと共通性のある第２通信プロトコルに基づく第２信号に変換する。したがって、複数の照明装置１０の仕様がそれぞれ異なっていても、全ての照明装置１０の仕様に応じたソフトウェアを搭載することなく、仕様の異なる各々の照明装置１０と通信することができる。
【００６３】
また、各々の照明装置１０の仕様に応じたソフトウェアを第１制御部１２１に搭載する必要もないため、照明装置１０の製造コストの高騰化を抑制することができる。
【００６４】
特に、照明装置に用いられる無線周波数帯域は限られているため、各々の照明装置と無線通信装置との間の通信における無線周波数帯域が異なれば、無線周波数帯域が圧迫されることになる。しかし、この無線通信装置１２０では、複数の照明装置１０と無線通信装置１２０との間の通信プロトコルを共通化することができる。このため、無線通信装置１２０が複数の照明装置１０を制御する場合でも、無線周波数帯域が圧迫され難く、複数の照明装置１０が安定稼働することができる。
【００６５】
また、本実施の形態に係る制御装置１３０は、１以上の照明装置１０に接続された第１通信部１０４と通信するための無線通信装置１２０に接続される第２端子部１３２と、無線通信装置１２０と当該制御装置１３０との間で規定される第１通信プロトコルに基づく第１信号と共通性のある第２通信プロトコルに基づいて生成した第２信号を、第２端子部１３２を介して出力する第２制御部１３１とを備える。そして、第２端子部１３２は、無線通信装置１２０と有線通信によって接続される。
【００６６】
また、本実施の形態に係る無線通信端末２０は、無線通信装置１２０と、制御装置１３０とを備える。
【００６７】
また、本実施の形態に係る無線通信システムは、無線通信装置１２０と、制御装置１３０と、無線通信装置１２０と通信する第１通信部１０４を含む照明装置１０とを備える。
【００６８】
また、本実施の形態に係る無線通信方法は、１以上の照明装置を制御するための制御装置に接続する無線通信方法であって、制御装置に接続する無線通信装置と制御装置との間で規定される第１通信プロトコルに基づく第１信号を制御装置から受信したとき、第１信号を第１通信プロトコルと共通性のある第２通信プロトコルに基づく第２信号に変換し、変換された第２信号を出力することを含む。
【００６９】
また、本実施の形態に係るプログラムは、無線通信方法をコンピュータに実行させる。
【００７０】
これらにおいても上述と同様の作用効果を奏する。
【００７１】
また、本実施の形態に係る無線通信装置１２０において、第１信号は、各々の照明装置１０と当該無線通信装置１２０との間で用いられる通信プロパティを含む。
【００７２】
これによれば、各々の照明装置１０と無線通信装置１２０との間で用いられる通信プロパティを知っていれば、第１信号に含まれる通信プロパティをそのまま用いて、第１信号を第２信号に変換することができる。このため、第１制御部１２１は、当該変換する際に、別々の通信プロパティを定義しなくてよくなる。その結果、無線通信装置１２０における処理負担を軽減することができる。
【００７３】
また、本実施の形態に係る無線通信装置１２０において、第２信号は、各々の照明装置１０の制御コマンドを含む。そして、無線通信装置１２０は、第２信号と、第２信号に含まれる制御コマンドを実行する第２実行信号を各々の照明装置１０に対して送信する。
【００７４】
これによれば、無線通信装置１２０が複数の照明装置１０を制御する場合、無線通信装置１２０は、複数の照明装置１０の内、複数の第１照明装置のグループと複数の第２照明装置のグループとが存在する場合に、複数の第１照明装置のグループに第２信号を送信した後に、複数の第２照明装置のグループに第２信号を送信することがある。つまり、無線通信装置１２０は、複数回に分けて第２信号を複数の照明装置１０に送信する。その後、無線通信装置１２０は、全ての照明装置１０に対して同時に第２実行信号を送信する。このため、各々の照明装置１０は、第２実行信号に基づいて点灯するため、同時に点灯することができる。
【００７５】
また、本実施の形態に係る無線通信装置１２０において、無線通信部１２３は、第２通信プロトコルに基づいて、各々の照明装置１０を制御するための操作端末５０と通信する。
【００７６】
これによれば、操作端末５０によって照明装置１０を制御することができるため、使い勝手がよい。
【００７７】
また、本実施の形態に係る無線通信装置１２０において、制御装置１３０は、各々の照明装置１０を制御するための上位システム４０と接続される。そして、無線通信装置１２０は、第１端子部１２２を介して、上位システム４０と同期するための第１同期信号を受信する。
【００７８】
これによれば、無線通信装置１２０が各々の照明装置１０に対して第１同期信号から変換した第２同期信号を送信するため、各々の照明装置１０は、同期を取ることができる。例えば、各々の照明装置１０が同時に点灯したり、同時に消灯したり、同時に調光したり、同時に調色したりすることができる。このため、ユーザは、複数の照明装置１０の動作に違和感を覚え難い。
【００７９】
また、本実施の形態に係る無線通信装置１２０において、制御装置１３０は、上位システム４０との間で規定される第３通信プロトコルに基づく第３信号を、第１通信プロトコルに基づく第１信号に変換する。
【００８０】
これらによれば、上位システム４０によっても照明装置１０を制御することができるため、使い勝手がよい。
【００８１】
（実施の形態２）
本実施の形態では、実施の形態１の無線通信システムからさらに、制御内容を実行したかどうかを示す応答信号を無線通信装置が照明装置に対して送信し、受信した照明装置がその応答を行う点で、実施の形態１の無線通信システムと異なる。本実施の形態における他の構成は、特に明記しない場合は、実施の形態１と同様であり、同一の構成については同一の符号を付して構成に関する詳細な説明を省略する。
【００８２】
［動作］
次に、無線通信装置１２０、制御装置１３０、無線通信端末２０、無線通信システム、無線通信方法およびプログラムの動作について説明する。本実施の形態における動作について、図３と同様の部分については同一の符号を付して動作に関する詳細な説明を省略する。
【００８３】
図４は、実施の形態２に係る無線通信システムの動作を例示するシーケンス図である。図４では、制御装置１３０から無線通信装置１２０を介して照明装置１０への確認が行われる。
【００８４】
図４に示すように、まず、上位システム４０は、ユーザによる手動操作またはスケジュールされた自動操作により、第３通信プロトコルに基づく第３確認信号を無線通信端末２０に送信する（Ｓ１１２）。
【００８５】
次に、無線通信端末２０に搭載される制御装置１３０の第２通信部１３３が第３確認信号を受信する。制御装置１３０の第２制御部１３１は、第２通信部１３３を介して第３確認信号を取得すると、第３確認信号を第１通信プロトコルに基づく第１確認信号に変換する（Ｓ１２３）。つまり、第２制御部１３１は、制御装置１３０と無線通信装置１２０との間で規定された第１通信プロトコルによって通信できるように、無線通信で受信した第３確認信号を、有線通信するための第１確認信号に変換する。例えばこの変換では、第３確認信号に含まれるヘッダ、フッタ等が変換され、第３確認信号に含まれる制御コマンドは、第１確認信号にそのまま受け継がれる。
【００８６】
次に、制御装置１３０は、第１通信プロトコルに基づく第１確認信号を無線通信装置１２０に送信する（Ｓ１２４）。
【００８７】
次に、無線通信装置１２０の無線通信部１２３が第１確認信号を受信する。無線通信装置１２０の第１制御部１２１は、無線通信部１２３を介して第１確認信号を取得すると、第１確認信号を第２通信プロトコルに基づく第２確認信号に変換する（Ｓ１３３）。つまり、第１制御部１２１は、無線通信装置１２０と複数の照明装置１０との間で規定された第２通信プロトコルによって通信できるように、有線通信で受信した第１確認信号を、無線通信するための第２確認信号に変換する。例えばこの変換では、第１確認信号に含まれるヘッダ、フッタ等が変換され、第１確認信号に含まれる制御コマンドは、第２確認信号にそのまま受け継がれる。第２確認信号は確認信号の一例である。
【００８８】
次に、無線通信装置１２０は、第２通信プロトコルに基づく第２確認信号を全ての照明装置１０に送信する（Ｓ１３４）。各々の照明装置１０の第１通信部１０４は、第２確認信号を受信する。各々の照明装置１０の照明制御部１０２は、第１通信部１０４を介して第２確認信号を取得する。第１確認信号及び第２確認信号が、照明装置１０への確認の一例である。
【００８９】
ここではすでに、照明制御部１０２は、図３における実行信号により、第２信号に含まれる制御コマンドを実行している（Ｓ４１）。このため、各々の照明装置１０は、現在実行している制御コマンドを示す点灯シーンを含む第２応答信号を、無線通信装置１２０に送信する（Ｓ２３４）。
【００９０】
次に、無線通信装置１２０の無線通信部１２３が第２応答信号を受信する。無線通信装置１２０の第１制御部１２１は、無線通信部１２３を介して第２応答信号を取得すると、第２応答信号を第１通信プロトコルに基づく第１応答信号に変換する（Ｓ２３３）。
【００９１】
次に、無線通信装置１２０は、第１通信プロトコルに基づく第１応答信号を制御装置１３０に送信する（Ｓ２２４）。
【００９２】
次に、制御装置１３０の第２通信部１３３が第１応答信号を受信する。制御装置１３０の第２制御部１３１は、第２通信部１３３を介して第１応答信号を取得すると、第１応答信号を第３通信プロトコルに基づく第３応答信号に変換する（Ｓ２２３）。
【００９３】
次に、上位システム４０は、第３通信プロトコルに基づく第３応答信号を制御装置１３０から受信する（Ｓ２１２）。このように、上位システム４０が照明装置１０に確認信号を送信することで、各々の照明装置１０が作動中の制御コマンドが示す点灯シーンを認識することができる。そして、無線通信システムは、処理を終了する。
【００９４】
なお、無線通信端末２０は、定期的に照明装置１０から照明装置１０の点灯シーンを示す制御コマンドを取得しておき、上位システム４０から第３応答信号を受信したときに、照明装置１０が実行している最新の制御コマンドが示す点灯シーン（つまり、照明装置１０の状態）を上位システム４０に送信してもよい。
【００９５】
なお、本実施の形態では、照明装置１０への確認は、照明装置１０の制御内容の確認を送信することであるが、これには限定されない。例えば、照明装置１０への確認は、照明装置１０の現在の状態、照明装置１０に備え付けられるセンサの情報等を確認するために、制御装置１３０が第１確認信号を無線通信装置１２０に送信し、無線通信装置１２０が第２確認信号を照明装置１０に送信することでもよい。そして、これらに対する応答が照明装置１０から無線通信端末２０を介して上位システム４０に送信されてもよい。
【００９６】
なお、上述では、照明装置１０が無線通信端末２０から第２確認信号を受信することで、照明装置１０は、第２応答信号を無線通信端末２０に送信するがこれには限定されない。例えば、照明装置１０が自動的にまたはユーザから直接の操作を受け付けることにより、照明装置１０は、上述の第２応答信号に相当する信号を無線通信端末２０に送信してもよい。つまり、必ずしも照明装置１０が第２確認信号を受信する必要はない。この場合、ステップＳ１１２、Ｓ１２３、Ｓ１２４、Ｓ１３３、Ｓ１３４を省略してもよい。これにより、照明装置１０が起点（送信元）となって第２応答信号に相当する信号を送信すれば、上位システム４０から照明装置１０までの間の通信量を削減できる。照明装置１０が自動的に第２応答信号に相当する信号を送信する場合は、例えば、所定期間が経過したり、所定時刻となったりする場合等である。
【００９７】
［作用効果］
次に、本実施の形態における無線通信装置１２０、制御装置１３０、無線通信端末２０、無線通信システム、無線通信方法およびプログラムの作用効果について説明する。
【００９８】
上述したように、本実施の形態に係る無線通信装置１２０は、１以上の照明装置１０を制御するための制御装置１３０に接続される無線通信装置１２０である。制御装置１３０と通信可能に接続される第１端子部１２２と、当該無線通信装置１２０と制御装置１３０との間で規定される第１通信プロトコルと共通性のある第２通信プロトコルに基づく第２信号を受信する無線通信部１２３と、第２信号を照明装置１０から受信したとき、第２信号を第１通信プロトコルに基づく第１信号に変換する第１制御部１２１とを備える。
【００９９】
この場合においても、第１制御部１２１は、第１信号を第１通信プロトコルと共通性のある第２通信プロトコルに基づく第２信号に変換する。したがって、複数の照明装置１０の仕様がそれぞれ異なっていても、全ての照明装置１０の仕様に応じたソフトウェアを搭載することなく、仕様の異なる各々の照明装置１０と通信することができる。
【０１００】
また、各々の照明装置１０の仕様に応じたソフトウェアを第１制御部１２１に搭載する必要もないため、照明装置１０の製造コストの高騰化を抑制することができる。
【０１０１】
特に、照明装置に用いられる無線周波数帯域は限られているため、各々の照明装置と無線通信装置との間の通信における無線周波数帯域が異なれば、無線周波数帯域が圧迫されることになる。しかし、この無線通信装置１２０では、複数の照明装置１０と無線通信装置１２０との間の通信プロトコルを共通化することができる。このため、無線通信装置１２０が複数の照明装置１０を制御する場合でも、無線周波数帯域が圧迫され難く、複数の照明装置１０が安定稼働することができる。
【０１０２】
また、本実施の形態に係る無線通信装置１２０は、各々の照明装置１０から確認する第１確認信号を制御装置１３０から受信したとき、無線通信部１２３は、第２通信プロトコルに基づいて、第１確認信号から変換された第２確認信号を、各々の照明装置１０に対して送信する。そして、第２確認信号に対する応答である第２応答信号を各々の照明装置１０から受信したとき、無線通信部１２３は、第２通信プロトコルに基づいて、第２応答信号から変換された第１応答信号を、制御装置１３０に対して送信する。
【０１０３】
この場合においても、複数の照明装置１０の仕様がそれぞれ異なっていても、全ての照明装置１０の仕様に応じたソフトウェアを搭載することなく、仕様の異なる各々の照明装置１０と通信することができる。
【０１０４】
また、無線通信装置１２０が各々の照明装置１０に対して第２確認信号を送信することにより、例えば、各々の照明装置１０が作動中の制御コマンドが示す点灯シーンを認識することができる。このため、ユーザは、各々の照明装置１０の状態を把握することができる。
【０１０５】
本実施の形態における作用効果は、実施の形態１と同様の作用効果を奏する。
【０１０６】
（その他変形例等）
以上、本開示について、実施の形態１、２に基づいて説明したが、本開示は、上記無線通信装置、制御装置、無線通信端末、無線通信システム、無線通信方法およびプログラムに限定されるものではない。
【０１０７】
例えば、上記実施の形態１、２に係る無線通信装置、制御装置、無線通信端末、無線通信システム、無線通信方法およびプログラムにおいて、各々の照明装置は、第２信号を受信しても第２実行信号を受信しないと、第２信号に含まれる制御コマンドを実行しないが、第２信号を受信すれば直ちに第２信号に含まれる制御コマンドを実行してもよい。
【０１０８】
また、上記実施の形態１、２に係る無線通信装置、制御装置、無線通信端末、無線通信システム、無線通信方法およびプログラムにおいて、第１通信部は、照明装置に含まれていなくてもよい。つまり、第１通信部は照明装置の必須の構成要件ではない。
【０１０９】
また、上記実施の形態１、２に係る無線通信装置、制御装置、無線通信端末、無線通信システム、無線通信方法およびプログラムにおいて、無線通信装置は、各々の照明装置における、積算点灯時間および通電時間等の運用に関する情報、電波受信レベルを示す情報、設置位置を示す情報、ＭＡＣアドレス等の各々の照明装置を特定する情報、導入されているソフトウェアに関する情報、動作ログを示す情報、負荷電力量を示す情報等を、各々の照明装置から取得してもよい。
【０１１０】
また、上記実施の形態１、２に係る無線通信装置、制御装置、無線通信端末、無線通信システム、無線通信方法およびプログラムにおいて、無線通信装置は、各々の照明装置のソフトウェアを更新する場合に、各々の照明装置に対して新しいソフトウェアを送信してもよい。
【０１１１】
また、上記実施の形態１、２に係る無線通信装置、制御装置、無線通信端末、無線通信システム、無線通信方法およびプログラムにおいて、上述では照明装置に利用しているが、照明装置の代わりに空調設備、非常時における避難誘導、デジタルサイネージ等に用いてもよい。空調設備に用いた場合、第２信号は、設定温度、動作モード（冷房、暖房、風向きなど）、風量等を示す制御コマンドを含んでいてもよい。非常時における避難誘導に用いた場合、第２信号は、避難口に向かって光を走らせるように点灯する制御コマンドを含んでいてもよい。デジタルサイネージに用いた場合、第２信号は、音及び映像の少なくとも一方を含む情報を再生させる制御コマンドを含んでいてもよい。
【０１１２】
また、上記実施の形態１、２に係る無線通信装置、制御装置、無線通信端末、無線通信システム、無線通信方法およびプログラムに含まれる各処理部（例えば制御部等）は、典型的に集積回路であるＬＳＩとして実現される。これらは個別に１チップ化されてもよいし、一部または全てを含むように１チップ化されてもよい。
【０１１３】
また、集積回路化はＬＳＩに限るものではなく、専用回路または汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、またはＬＳＩ内部の回路セルの接続や設定を再構成可能なリコンフィギュラブル・プロセッサを利用してもよい。
【０１１４】
なお、上記各実施の形態１、２において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１１５】
また、上記で用いた数字は、全て本開示を具体的に説明するために例示するものであり、本開示の実施の形態１、２は例示された数字に制限されない。
【０１１６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェアまたはソフトウェアが並列または時分割に処理してもよい。
【０１１７】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１１８】
その他、実施の形態１、２に対して当業者が思いつく各種変形を施して得られる形態、本開示の趣旨を逸脱しない範囲で実施の形態１、２における構成要素および機能を任意に組み合わせることで実現される形態も本開示に含まれる。
【符号の説明】
【０１１９】
１  無線通信システム
１０  照明装置（照明設備、負荷装置）
２０  無線通信端末
５０  操作端末
１０４  第１通信部（通信部）
１２０  無線通信装置
１２１  第１制御部
１２２  第１端子部
１２３  無線通信部
１３０  制御装置
１３１  第２制御部
１３２  第２端子部
【図１】
2020107560.tif 000003
【図２】
2020107560.tif 000004
【図３】
2020107560.tif 000005
【図４】
2020107560.tif 000006